(57)【要約】【課題】電動工具を用いる作業時において、作業者への負担を軽減するとともに、効率的に作業を行うことができる電動工具用作業補助装置を提供する。【解決手段】建築、土木作業等における電動工具Ｂを用いた作業の作業補助装置Ａであって、電動工具を支持するひも状の支持部材３と、この支持部材３の両端部と連結し、支持部材を作業現場等の固定箇所に接続する固定部材１とを備え、前記支持部材３は、その少なくとも一部が伸縮自在な弾性部材２で形成されている。【選択図】  図２
2004202641.tif 000002
【特許請求の範囲】
【請求項１】
建築、土木作業等における電動工具を用いた作業の作業補助装置であって、
電動工具を支持するひも状の支持部材と、
この支持部材の両端部と連結し、支持部材を作業現場等の固定箇所に接続する固定部材とを備え、
前記支持部材は、その少なくとも一部が伸縮自在な弾性部材で形成されていることを特徴とする電動工具用作業補助装置。
【請求項２】
前記弾性部材は、コイルばねであり、少なくとも２以上設けられていることを特徴とする請求項１に記載の電動工具用作業補助装置。
【請求項３】
前記支持部材は、全体が弾性部材で形成されていることを特徴とする請求項１または請求項２に記載の電動工具用作業補助装置。
【請求項４】
前記固定部材は、先端に設けられたフックと、固定箇所に設けられ、前記フックを掛ける掛止部材と、を備えていることを特徴とする請求項１から請求項３いずれかに記載の電動工具用作業補助装置。
【発明の詳細な説明】
【０００１】
【発明の属する技術分野】
本発明は、電動工具を用いた作業の作業補助装置であって、電動チッパー等、人力により支えながら多方向に作業を行う電動工具に好適に利用できる技術である。
【０００２】
【従来の技術】
一般的に、コンクリート構造物等のはつり作業は、電動チッパー等電動工具を用いて行っている。この電動チッパーは、重量が重く、特に上向きのはつり作業では、電動チッパーの重みが全て作業者にかかるため、長時間の作業では作業者の身体に負担がかかっていた。さらに、はつり作業は、大きな衝撃を伴うことがあり、この衝撃も作業者の身体に負担となっていた。そして、これらの身体的負担から、災害を引き起こすことも多々あった。
【０００３】
そのため、はつり作業を行う際、ロープの両端部をコンクリート構造体に固定し、このロープに電動チッパーを支持させて作業を行っていた。しかし、ロープに支持された状態で作業を行うと、一方向にしか動くことできず、作業に制限が生じていた。
【０００４】
はつり作業は、様々な方向に作業するため、一方向のみしか動けないと、作業の自在性が保てず、作業に支障が生じていた。一方、作業する方向が変化する度に、ロープの固定箇所を移動させると、その度に作業を中断しなければならず、作業効率の低下を招いていた。
【０００５】
【発明が解決しようとする課題】
本発明は、このような問題を鑑みて成されたものであり、電動工具を用いる作業において、作業者への負担を軽減するとともに、効率的に作業を行うことができる電動工具用作業補助装置を提供することを技術的課題とする。
【０００６】
【課題を解決するための手段】
本発明は、電動工具用作業補助装置であり、上記技術的課題を解決するために以下のように構成されている。
【０００７】
すなわち、本発明は、建築、土木作業等における電動工具を用いた作業の作業補助装置であって、電動工具を支持するひも状の支持部材と、この支持部材の両端部と連結し、支持部材を作業現場等の固定箇所に接続する固定部材とを備え、前記支持部材は、少なくとも一部が伸縮自在な弾性部材で形成されている。
【０００８】
前記構成により、固定箇所に連結した支持部材に電動工具を支持させた状態で作業を行うことができるため、電動工具の重量、及び、作業時の衝撃を作業者が全て負担することなくに作業を行うことができる。そのため、作業者の負担が軽減し、長時間の作業も可能となり、作業の効率が向上する。さらに、作業者の疲労も軽減されることにより、作業者の疲労によって引き起こされる種々の災害も防ぐことが可能となり、安全性を向上させることができる。
【０００９】
また、支持部材は、少なくとも一部が伸縮自在な弾性部材で形成されていることにより、支持部材に電動工具を支持させた状態でも、電動工具を多方向に移動させることができる。そのため、電動工具が支持部材に支持されていることによる作業の自在性に対する制限は少なく、作業の効率を低下させるおそれは少ない。
【００１０】
さらに、支持部材の一部を伸縮自在な弾性部材で形成し、他は伸縮しない部材で形成することで、電動工具を伸縮しない部材部分で、確実に支持することが可能となる。
【００１１】
加えて、前記弾性部材は、コイルばねであり、少なくとも２以上設けられていることが望ましい。
【００１２】
コイルばねとは、ばね部材の一種であり、鋼線等の金属をコイル形に巻いたばねである。コイルばねは、圧縮力、引張力に対応できるとともに、金属を巻いているため、強度があり、本発明に好適に利用することができる。また、コイルばねが少なくとも２以上設けられていることで、作業に際し多方向への自在性が確保される。
【００１３】
尚、本発明は、前記コイルばねが適しているが、荷重を加えると変形し、荷重を取り去れば元の形に戻り、機械や構造物のエネルギーを吸収したり蓄積したりする弾性部材であれば良く、前記コイルばねには限られない。例えば、ゴム材であっても良く、ばね材では、渦巻ばね、重ね板ばね、輪ばね、皿ばね等が挙げられる。
【００１４】
また、前記支持部材は、全体が弾性部材で形成されていても良い。前記構成によれば、電動工具を支持する箇所は、支持部材のいずれの部分でも良く、電動工具の支持部分を容易に変更することができる。加えて、支持部材全体が伸縮自在であることにより、作業の自在性も向上する。
【００１５】
さらに、前記固定部材は、先端に設けられたフックと、前記固定箇所に設けられており、前記フックを掛ける掛止部材と、を備えていることが望ましい。
【００１６】
前記構成により、固定部と連結した支持部材を容易に、固定箇所に着脱させることが可能となる。また、本発明の電動工具用作業補助装置は、電動工具の形状により制限されることがなく、種々の電動工具に用いることができる。従って、予め、固定箇所に複数の掛止部材を設けておくことで、種々の作業において電動工具用作業補助装置を繰り返し利用することが可能となる。尚、現場の状況により、フックを掛ける箇所がある場合には、掛止部材は設ける必要はなく、電動工具用作業補助装置の両端にフックを設けるのみでよい。
【００１７】
【発明の実施の形態】
以下、本発明の実施の形態を図面に基づいて説明する。本実施の形態は、コンクリート構造物の施工における電動工具を用いたはつり作業である。はつり作業とは、表面の不要な凸部を削る作業であり、本実施の形態では、電動チッパーＢを用いて、前記コンクリート構造物の天井部分のはつり作業を行った。
【００１８】
図１は、本実施の形態にかかる電動工具用作業補助装置Ａである。両端部には固定部材としてのフック１が備えられている。フック１は、両端に係合部が設けられており、一方の係合部１ａは、コンクリート構造体の鉄筋に掛止しており、他方の係合部１ｂは、弾性部材であるコイルばね２と連結している。そして、両コイルばね２は、支持部材としての紐３と連結している。
【００１９】
次いで、この電動工具作業用補助装置を用いた電動チッパーの作業方法を説明する。まず、一端のフック１の係合部１ａを天井の鉄筋に係合させ、上方から電動工具用作業補助装置Ａを吊す。そして、中央の紐３を電動チッパーＢに巻き付け、他方のフック１の係合部１ｂを天井の鉄筋に係合させる。そして、電動工具用作業補助部材Ａの紐３に電動チッパーＢを懸架させた状態で、電動チッパーＢの先端を上方に向けて、天井のはつり作業を行う。
【００２０】
このようにしてはつり作業を行うと、電動チッパーＢの重量が全て作業者にかからず、作業者の負担を軽減させることができる。また、両端部にコイルばね２を連結していることにより、電動チッパーＢの作業の自在性は確保される。
【００２１】
また、はつり作業を行う際は、予めコイルばね２に引張力を加えた状態で作業を行うと良い。予め、電動チッパーＢのを支持する部分を下方に下げる等、コイルばね２に引張力を加えておくと、コイルばね２を圧縮する方向に力が加わった時、その力を効果的に吸収することができる。すなわち、はつり作業は、多少とも衝撃を伴う作業であるため、コイルばね２に引張力を加えておくことで、より効果的に衝撃を吸収することができる。
【００２２】
さらに、本実施の形態では、天井の鉄筋にフック１を係合させていたが、鉄筋等フック１を係合させる箇所がない場合には、予め、フック１と係合する掛止部材を設けておくことが必要である。また、フック１を掛ける箇所は、電動工具の支持部分より上方に設けることが望ましい。固定箇所を上方に設けることで、電動工具用作業補助装置Ａにより、電動工具を懸架することができ、本発明を効果的に用いることができるためである。
【００２３】
尚、本実施の形態では、電動チッパーＢのはつり作業に電動工具用作業補助装置Ａを用いたが、本発明は、種々の電動工具に用いることができる。例えば、はつり作業の後、穿孔作業を行う際の電動ドリルについても、電動工具用作業補助装置を用いることができる。本発明の電動工具用作業補助装置は、取付、及び、取り外し作業が容易であり、電動工具の形状に制限されることなく用いることができるため、種々の作業に用いる電動工具に利用することができる。
【００２４】
【発明の効果】
以上のように本発明によれば、電動工具を用いる作業において、電動工具の重量、及び、作業の衝撃による作業者への負担を軽減させることができる。従って、作業の効率の向上、災害の減少等に貢献することができる。
【００２５】
また、固定部材をフックと、このフックに係合する掛止部材とすることで、電動工具作業補助装置の取付、及び、取り外しが容易となり、効率的に作業を行うことができる。
【図面の簡単な説明】
【図１】本実施の形態の電動工具用作業補助装置の正面図である。
【図２】本実施の形態の電動工具用作業補助装置を用いたはつり作業の概略図である。
【符号の説明】
１  フック
２  コイルばね
３  紐
Ａ  電動工具用作業補助装置
Ｂ  電動チッパー
【図１】
2004202641.tif 000003
【図２】
2004202641.tif 000004